(57)【要約】  【課題】簡単な操作で最新のソフトウェアをアップデートすることができる携帯電話機を提供する。  【解決手段】  本発明の携帯電話機（１０）は、携帯電話機本体（８）と、バッテリ（９）とを具備する。バッテリ（９）は、携帯電話機本体（８）にバッテリ電源を供給し、充電器（６）に接続可能である。充電器（６）は、外部電源（７）とバッテリ（９）とに接続されたときに、バッテリ（９）を充電する。携帯電話機本体（８）は、ソフトウェアを格納するソフトウェア格納部を具備し、管理局端末（１）と無線通信網（２）を介して接続されている。携帯電話機本体（８）は、充電器（６）がバッテリ（９）に接続されたときに、アップデート要求を管理局端末（１）に送信し、管理局端末（１）から送信された最新のソフトウェアを上記のソフトウェアとしてソフトウェア格納部に格納する。これにより、ユーザは、簡単な操作で最新のソフトウェアをアップデートすることができる。ユーザの簡単な操作として、ユーザは充電器（６）をバッテリ（９）に接続すればよい。  【選択図】図１
2005222171.tif 000002
【特許請求の範囲】
【請求項１】
携帯電話機本体と、
前記携帯電話機本体にバッテリ電源を供給し、充電器に接続可能なバッテリとを具備し、
前記充電器は、外部電源と前記バッテリとに接続されたときに、前記バッテリを充電し、
前記携帯電話機本体は、
ソフトウェアを格納するソフトウェア格納部と、
アップデート要求に応じて最新のソフトウェアを提供する管理局端末と無線通信網を介して接続された携帯電話用通信部と、
前記充電器が前記バッテリに接続されたときに、前記アップデート要求を前記携帯電話用通信部から前記管理局端末に送信し、前記管理局端末から前記携帯電話用通信部に送信された前記最新のソフトウェアを前記ソフトウェアとして前記ソフトウェア格納部に格納するアップデート制御部と
を具備する携帯電話機。
【請求項２】
携帯電話機本体と、
前記携帯電話機本体にバッテリ電源を供給し、充電器に接続可能なバッテリとを具備し、
前記充電器は、外部電源と前記バッテリとに接続されたときに、前記バッテリを充電し、
前記携帯電話機本体は、
ソフトウェアを格納するソフトウェア格納部と、
アップデート要求に応じて最新のソフトウェアを提供する管理局端末と無線通信網を介して接続された携帯電話用通信部と、
前記充電器が前記バッテリに接続されたときに、前記アップデート要求を前記携帯電話用通信部から前記管理局端末に送信し、前記管理局端末から前記携帯電話用通信部に送信された前記最新のソフトウェアを前記ソフトウェアとして前記ソフトウェア格納部に格納するアップデート制御部と、
ユーザに関連するユーザデータを格納するユーザデータ格納部と、
記憶装置に接続されたバックアップ用通信部と、
前記充電器が前記バッテリに接続されたときに、前記ユーザデータ格納部から前記ユーザデータを読み出して、前記バックアップ用通信部から前記記憶装置に送信して格納するバックアップ制御部と
を具備する携帯電話機。
【請求項３】
請求項１又は２に記載された携帯電話機において、
前記携帯電話用通信部は、相手側端末と前記無線通信網を介して接続され、
前記充電器が前記バッテリに接続されたときに、前記携帯電話用通信部が前記相手側端末と通信を行っていない場合、前記アップデート制御部は、前記アップデート要求を前記携帯電話用通信部から前記管理局端末に送信し、前記管理局端末から前記携帯電話用通信部に送信された前記最新のソフトウェアを前記ソフトウェアとして前記ソフトウェア格納部に格納する
携帯電話機。
【請求項４】
請求項３に記載された携帯電話機において、
前記携帯電話機本体は、更に、
前記携帯電話機本体をユーザが操作するための操作部を具備し、
前記充電器が前記バッテリに接続されたときに、ユーザが前記操作部を操作せず、前記携帯電話用通信部が前記相手側端末と通信を行っていない場合、前記アップデート制御部は、前記アップデート要求を前記携帯電話用通信部から前記管理局端末に送信し、前記管理局端末から前記携帯電話用通信部に送信された前記最新のソフトウェアを前記ソフトウェアとして前記ソフトウェア格納部に格納する
携帯電話機。
【請求項５】
請求項２に記載された携帯電話機において、
前記携帯電話用通信部は、相手側端末と前記無線通信網を介して接続され、
前記充電器が前記バッテリに接続されたときに、前記携帯電話用通信部が前記相手側端末と通信を行っていない場合、
前記アップデート制御部は、前記アップデート要求を前記携帯電話用通信部から前記管理局端末に送信し、前記管理局端末から前記携帯電話用通信部に送信された前記最新のソフトウェアを前記ソフトウェアとして前記ソフトウェア格納部に格納し、
前記バックアップ制御部は、前記ユーザデータ格納部から前記ユーザデータを読み出して、前記バックアップ用通信部から前記記憶装置に送信して格納する
携帯電話機。
【請求項６】
請求項５に記載された携帯電話機において、
前記携帯電話機本体は、更に、
前記携帯電話機本体をユーザが操作するための操作部を具備し、
前記充電器が前記バッテリに接続されたときに、ユーザが前記操作部を操作せず、前記携帯電話用通信部が前記相手側端末と通信を行っていない場合、
前記アップデート制御部は、前記アップデート要求を前記携帯電話用通信部から前記管理局端末に送信し、前記管理局端末から前記携帯電話用通信部に送信された前記最新のソフトウェアを前記ソフトウェアとして前記ソフトウェア格納部に格納し、
前記バックアップ制御部は、前記ユーザデータ格納部から前記ユーザデータを読み出して、前記バックアップ用通信部から前記記憶装置に送信して格納する
携帯電話機。
【請求項７】
請求項２、５、６のいずれか一項に記載された携帯電話機において、
前記記憶装置は、無線ネットワークを介して前記バックアップ用通信部と接続された外部端末であり、
前記外部端末は、外部端末用記憶部を備え、
前記バックアップ用通信部から前記外部端末に送信された前記ユーザデータは、前記外部端末により前記外部端末用記憶部に格納される
携帯電話機。
【請求項８】
請求項２、５、６のいずれか一項に記載された携帯電話機において、
前記バックアップ用通信部は、メモリカードスロットを含み、
前記記憶装置は、前記メモリカードスロットに装着されたメモリカードであり、
前記メモリカードは、メモリカード用記憶部を備え、
前記バックアップ用通信部から前記メモリカードに送信された前記ユーザデータは、前記バックアップ制御部により前記メモリカード用記憶部に格納される
携帯電話機。
【請求項９】
請求項５に記載された携帯電話機において、
前記バックアップ用通信部は、メモリカードスロットを含み、
前記記憶装置は、
無線ネットワークを介して前記バックアップ用通信部と接続され、外部端末用記憶部を備えた外部端末と、
前記メモリカードスロットに装着可能であり、メモリカード用記憶部を備えたメモリカードとを含み、
前記充電器が前記バッテリに接続されたときに、前記携帯電話用通信部が前記相手側端末と通信を行ってなく、前記メモリカードが前記メモリカードスロットに装着されていない場合、前記バックアップ制御部は、前記ユーザデータ格納部から前記ユーザデータを読み出して、前記バックアップ用通信部を介して前記外部端末に送信し、
前記バックアップ用通信部から前記外部端末に送信された前記ユーザデータは、前記外部端末により前記外部端末用記憶部に格納され、
前記充電器が前記バッテリに接続されたときに、前記携帯電話用通信部が前記相手側端末と通信を行ってなく、前記メモリカードが前記メモリカードスロットに装着されている場合、前記バックアップ制御部は、前記ユーザデータ格納部から前記ユーザデータを読み出して、前記バックアップ用通信部を介して前記メモリカードに送信して前記メモリカード用記憶部に格納する
携帯電話機。
【請求項１０】
請求項６に記載された携帯電話機において、
前記バックアップ用通信部は、メモリカードスロットを含み、
前記記憶装置は、
無線ネットワークを介して前記バックアップ用通信部と接続され、外部端末用記憶部を備えた外部端末と、
前記メモリカードスロットに装着可能であり、メモリカード用記憶部を備えたメモリカードとを含み、
前記充電器が前記バッテリに接続されたときに、ユーザが前記操作部を操作せず、前記携帯電話用通信部が前記相手側端末と通信を行ってなく、前記メモリカードが前記メモリカードスロットに装着されていない場合、前記バックアップ制御部は、前記ユーザデータ格納部から前記ユーザデータを読み出して、前記バックアップ用通信部を介して前記外部端末に送信し、
前記バックアップ用通信部から前記外部端末に送信された前記ユーザデータは、前記外部端末により前記外部端末用記憶部に格納され、
前記充電器が前記バッテリに接続されたときに、ユーザが前記操作部を操作せず、前記携帯電話用通信部が前記相手側端末と通信を行ってなく、前記メモリカードが前記メモリカードスロットに装着されている場合、前記バックアップ制御部は、前記ユーザデータ格納部から前記ユーザデータを読み出して、前記バックアップ用通信部を介して前記メモリカードに送信して前記メモリカード用記憶部に格納する
携帯電話機。
【請求項１１】
請求項７、９、１０のいずれか一項に記載された携帯電話機において、
前記無線ネットワークは、Ｗ−ＬＡＮ（Ｗｉｒｅｌｅｓｓ  Ｌｏｃａｌ  Ａｒｅａ  Ｎｅｔｗｏｒｋ）である
携帯電話機。
【請求項１２】
請求項７、９、１０のいずれか一項に記載された携帯電話機において、
前記無線ネットワークは、Ｂｌｕｅｔｏｏｔｈに適用される
携帯電話機。
【請求項１３】
携帯電話機と、
アップデート要求に応じて最新のソフトウェアを提供する管理局端末とを具備し、
前記携帯電話機は、
携帯電話機本体と、
前記携帯電話機本体にバッテリ電源を供給し、充電器に接続可能なバッテリとを具備し、
前記充電器は、外部電源と前記バッテリとに接続されたときに、前記バッテリを充電し、
前記携帯電話機本体は、
ソフトウェアを格納するソフトウェア格納部と、
前記管理局端末と無線通信網を介して接続された携帯電話用通信部と、
前記充電器が前記バッテリに接続されたときに、前記アップデート要求を前記携帯電話用通信部から前記管理局端末に送信し、前記管理局端末から前記携帯電話用通信部に送信された前記最新のソフトウェアを前記ソフトウェアとして前記ソフトウェア格納部に格納するアップデート制御部と
を具備する通信システム。
【請求項１４】
携帯電話機と、
アップデート要求に応じて最新のソフトウェアを提供する管理局端末と、
記憶装置とを具備し、
前記携帯電話機は、
携帯電話機本体と、
前記携帯電話機本体にバッテリ電源を供給し、充電器に接続可能なバッテリとを具備し、
前記充電器は、外部電源と前記バッテリとに接続されたときに、前記バッテリを充電し、
前記携帯電話機本体は、
ソフトウェアを格納するソフトウェア格納部と、
前記管理局端末と無線通信網を介して接続された携帯電話用通信部と、
前記充電器が前記バッテリに接続されたときに、前記アップデート要求を前記携帯電話用通信部から前記管理局端末に送信し、前記管理局端末から前記携帯電話用通信部に送信された前記最新のソフトウェアを前記ソフトウェアとして前記ソフトウェア格納部に格納するアップデート制御部と、
ユーザに関連するユーザデータを格納するユーザデータ格納部と、
前記記憶装置に接続されたバックアップ用通信部と、
前記充電器が前記バッテリに接続されたときに、前記ユーザデータ格納部から前記ユーザデータを読み出して、前記バックアップ用通信部から前記記憶装置に送信して格納するバックアップ制御部と
を具備する通信システム。
【請求項１５】
請求項１３又は１４に記載された通信システムにおいて、
前記携帯電話用通信部は、相手側端末と前記無線通信網を介して接続され、
前記充電器が前記バッテリに接続されたときに、前記携帯電話用通信部が前記相手側端末と通信を行っていない場合、前記アップデート制御部は、前記アップデート要求を前記携帯電話用通信部から前記管理局端末に送信し、前記管理局端末から前記携帯電話用通信部に送信された前記最新のソフトウェアを前記ソフトウェアとして前記ソフトウェア格納部に格納する
通信システム。
【請求項１６】
請求項１５に記載された通信システムにおいて、
前記携帯電話機本体は、更に、
前記携帯電話機本体をユーザが操作するための操作部を具備し、
前記充電器が前記バッテリに接続されたときに、ユーザが前記操作部を操作せず、前記携帯電話用通信部が前記相手側端末と通信を行っていない場合、前記アップデート制御部は、前記アップデート要求を前記携帯電話用通信部から前記管理局端末に送信し、前記管理局端末から前記携帯電話用通信部に送信された前記最新のソフトウェアを前記ソフトウェアとして前記ソフトウェア格納部に格納する
通信システム。
【請求項１７】
請求項１４に記載された通信システムにおいて、
前記携帯電話用通信部は、相手側端末と前記無線通信網を介して接続され、
前記充電器が前記バッテリに接続されたときに、前記携帯電話用通信部が前記相手側端末と通信を行っていない場合、
前記アップデート制御部は、前記アップデート要求を前記携帯電話用通信部から前記管理局端末に送信し、前記管理局端末から前記携帯電話用通信部に送信された前記最新のソフトウェアを前記ソフトウェアとして前記ソフトウェア格納部に格納し、
前記バックアップ制御部は、前記ユーザデータ格納部から前記ユーザデータを読み出して、前記バックアップ用通信部から前記記憶装置に送信して格納する
通信システム。
【請求項１８】
請求項１７に記載された通信システムにおいて、
前記携帯電話機本体は、更に、
前記携帯電話機本体をユーザが操作するための操作部を具備し、
前記充電器が前記バッテリに接続されたときに、ユーザが前記操作部を操作せず、前記携帯電話用通信部が前記相手側端末と通信を行っていない場合、
前記アップデート制御部は、前記アップデート要求を前記携帯電話用通信部から前記管理局端末に送信し、前記管理局端末から前記携帯電話用通信部に送信された前記最新のソフトウェアを前記ソフトウェアとして前記ソフトウェア格納部に格納し、
前記バックアップ制御部は、前記ユーザデータ格納部から前記ユーザデータを読み出して、前記バックアップ用通信部から前記記憶装置に送信して格納する
通信システム。
【請求項１９】
請求項１４、１７、１８のいずれか一項に記載された通信システムにおいて、
前記記憶装置は、無線ネットワークを介して前記バックアップ用通信部と接続された外部端末であり、
前記外部端末は、外部端末用記憶部を備え、
前記バックアップ用通信部から前記外部端末に送信された前記ユーザデータは、前記外部端末により前記外部端末用記憶部に格納される
通信システム。
【請求項２０】
請求項１４、１７、１８のいずれか一項に記載された通信システムにおいて、
前記バックアップ用通信部は、メモリカードスロットを含み、
前記記憶装置は、前記メモリカードスロットに装着されたメモリカードであり、
前記メモリカードは、メモリカード用記憶部を備え、
前記バックアップ用通信部から前記メモリカードに送信された前記ユーザデータは、前記バックアップ制御部により前記メモリカード用記憶部に格納される
通信システム。
【請求項２１】
請求項１７に記載された通信システムにおいて、
前記バックアップ用通信部は、メモリカードスロットを含み、
前記記憶装置は、
無線ネットワークを介して前記バックアップ用通信部と接続され、外部端末用記憶部を備えた外部端末と、
前記メモリカードスロットに装着可能であり、メモリカード用記憶部を備えたメモリカードとを含み、
前記充電器が前記バッテリに接続されたときに、前記携帯電話用通信部が前記相手側端末と通信を行ってなく、前記メモリカードが前記メモリカードスロットに装着されていない場合、前記バックアップ制御部は、前記ユーザデータ格納部から前記ユーザデータを読み出して、前記バックアップ用通信部を介して前記外部端末に送信し、
前記バックアップ用通信部から前記外部端末に送信された前記ユーザデータは、前記外部端末により前記外部端末用記憶部に格納され、
前記充電器が前記バッテリに接続されたときに、前記携帯電話用通信部が前記相手側端末と通信を行ってなく、前記メモリカードが前記メモリカードスロットに装着されている場合、前記バックアップ制御部は、前記ユーザデータ格納部から前記ユーザデータを読み出して、前記バックアップ用通信部を介して前記メモリカードに送信して前記メモリカード用記憶部に格納する
通信システム。
【請求項２２】
請求項１８に記載された通信システムにおいて、
前記バックアップ用通信部は、メモリカードスロットを含み、
前記記憶装置は、
無線ネットワークを介して前記バックアップ用通信部と接続され、外部端末用記憶部を備えた外部端末と、
前記メモリカードスロットに装着可能であり、メモリカード用記憶部を備えたメモリカードとを含み、
前記充電器が前記バッテリに接続されたときに、ユーザが前記操作部を操作せず、前記携帯電話用通信部が前記相手側端末と通信を行ってなく、前記メモリカードが前記メモリカードスロットに装着されていない場合、前記バックアップ制御部は、前記ユーザデータ格納部から前記ユーザデータを読み出して、前記バックアップ用通信部を介して前記外部端末に送信し、
前記バックアップ用通信部から前記外部端末に送信された前記ユーザデータは、前記外部端末により前記外部端末用記憶部に格納され、
前記充電器が前記バッテリに接続されたときに、ユーザが前記操作部を操作せず、前記携帯電話用通信部が前記相手側端末と通信を行ってなく、前記メモリカードが前記メモリカードスロットに装着されている場合、前記バックアップ制御部は、前記ユーザデータ格納部から前記ユーザデータを読み出して、前記バックアップ用通信部を介して前記メモリカードに送信して前記メモリカード用記憶部に格納する
通信システム。
【請求項２３】
請求項１９、２１、２２のいずれか一項に記載された通信システムにおいて、
前記無線ネットワークは、Ｗ−ＬＡＮ（Ｗｉｒｅｌｅｓｓ  Ｌｏｃａｌ  Ａｒｅａ  Ｎｅｔｗｏｒｋ）である
通信システム。
【請求項２４】
請求項１９、２１、２２のいずれか一項に記載された通信システムにおいて、
前記無線ネットワークは、Ｂｌｕｅｔｏｏｔｈに適用される
通信システム。
【発明の詳細な説明】
【技術分野】
【０００１】
本発明は、移動通信端末として用いられる携帯電話機に関する。
【背景技術】
【０００２】
ＰＣ（Ｐｅｒｓｏｎａｌ  Ｃｏｍｐｕｔｅｒ）で例示される端末の記憶部には、その端末に内蔵されたＣＰＵ（Ｃｅｎｔｒａｌ  Ｐｒｏｃｅｓｓｉｎｇ  Ｕｎｉｔ）が実行するためのソフトウェアが格納されている。端末に格納されるソフトウェアとしては、操作用ソフトウェア、電子メール用ソフトウェア、ゲーム用ソフトウェア、コンピュータウィルス用ソフトウェアが例示される。このようなソフトウェアにバグや障害が発見された場合、ソフトウェアのメンテナンスを行なう必要がある。そこで、ソフトウェアのメンテナンスを行なうために、バージョンアップした修正用ソフトウェア（最新のソフトウェア）を端末にアップデートしなければならない。ユーザが店舗に行かずに自ら最新のソフトウェアを端末にアップデートできるものとして、ディスクを用いた方法が例示される。ディスクとしてはＣＤ−ＲＯＭ（Ｃｏｍｐａｃｔ  Ｄｉｓｃ−Ｒｅａｄ  Ｏｎｌｙ  Ｍｅｍｏｒｙ）が例示される。
【０００３】
移動通信端末として用いられる携帯電話機は、上記の端末と同様にＣＰＵを内蔵するコンピュータである。ところが、携帯電話機を所有する全てのユーザが、携帯電話機を電話機であると認識していても、携帯電話機をコンピュータであると認識しているとは限らない。このため、携帯電話機は、ユーザにとって利用しやすく、急激に普及した原因でもある。
【０００４】
その携帯電話機の記憶部には、その携帯電話機に内蔵されたＣＰＵが実行するためのソフトウェアが格納されている。携帯電話機に格納されるソフトウェアとしては、操作用ソフトウェア、通話用ソフトウェア、電子メール用ソフトウェア、ゲーム用ソフトウェア、迷惑メール防止用ソフトウェア、悪戯電話防止用ソフトウェアが例示される。このようなソフトウェアにバグや障害が発見された場合、ソフトウェアのメンテナンスを行なう必要がある。そこで、ソフトウェアのメンテナンスを行なうために、バージョンアップした修正用ソフトウェア（最新のソフトウェア）を携帯電話機にアップデートしなければならない。
【０００５】
しかし、携帯電話機を所有する全てのユーザが店舗に行かずに自ら最新のソフトウェアを携帯電話機にアップデートできるとは限らない。このため、ユーザは、店舗に出向き、新しい携帯電話機に交換したり、店舗内で最新のソフトウェアをアップデートしてもらう。ユーザが店舗に出向くまで、携帯電話機に格納されたソフトウェアの不具合（バグ、障害）は解消されない。
【０００６】
携帯電話機に関する特許文献について紹介する。
特許文献１には、ユーザをわずらわすことなく、携帯電話機に記憶されている情報のバックアップを確実に完遂する移動通信端末が開示されている。
特許文献２には、携帯電話機に記憶されたデータを自動的にバックアップできるようにするデータバックアップ装置が開示されている。
特許文献３には、携帯電話機において、ユーザが特に意識してバックアップのための作業をしなくてもデータの消失をほぼ完全に防止して簡易に再利用することができると同時に、電話機の故障や買い換えにも簡易に対応する携帯型電話機のデータバックアップシステムが開示されている。
特許文献４には、携帯端末のデータ更新時の手間を簡略化する携帯端末接続装置が開示されている。
【０００７】
【特許文献１】特開２００３−３４７９８８号公報
【特許文献２】特開２００１−２０２２９２号公報
【特許文献３】特開２００２−３３７９８号公報
【特許文献４】特開２００２−２７１２４８号公報
【発明の開示】
【発明が解決しようとする課題】
【０００８】
本発明の課題は、簡単な操作で最新のソフトウェアをアップデートすることができる携帯電話機を提供することにある。
【０００９】
本発明の他の課題は、確実に最新のソフトウェアをアップデートすることができる携帯電話機を提供することにある。
【００１０】
本発明の更に他の課題は、簡単な操作でユーザデータをバックアップすることができる携帯電話機を提供することにある。
【００１１】
本発明の更に他の課題は、確実にユーザデータをバックアップすることができる携帯電話機を提供することにある。
【００１２】
本発明の更に他の課題は、バックアップされたユーザデータをコンピュータに不慣れなユーザでも利用することができる携帯電話機を提供することにある。
【課題を解決するための手段】
【００１３】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１４】
本発明の携帯電話機（１０）は、以下に示す通信システムに適用される。この通信システムは、本発明の携帯電話機（１０）と、アップデート要求に応じて最新のソフトウェアを提供する管理局端末（１）とを具備する。
本発明の携帯電話機（１０）は、携帯電話機本体（８）と、バッテリ（９）とを具備する。バッテリ（９）は、携帯電話機本体（８）にバッテリ電源を供給し、充電器（６）に接続可能である。充電器（６）は、外部電源（７）とバッテリ（９）とに接続されたときに、バッテリ（９）を充電する。
携帯電話機本体（８）は、ソフトウェアを格納するソフトウェア格納部（３３Ａ）と、管理局端末（１）と無線通信網（２）を介して接続された携帯電話用通信部（１４）と、アップデート制御部（３１Ｂ）とを具備する。
アップデート制御部（３１Ｂ）は、充電器（６）がバッテリ（９）に接続されたときに、アップデート要求を携帯電話用通信部（１４）から管理局端末（１）に送信し、管理局端末（１）から携帯電話用通信部（１４）に送信された最新のソフトウェアを上記のソフトウェアとしてソフトウェア格納部（３３Ａ）に格納する。
【００１５】
以上の構成により、本発明の携帯電話機（１０）によれば、第１の効果として、簡単な操作で最新のソフトウェアをアップデートすることができる。
また、本発明の携帯電話機（１０）によれば、第１の効果に加えて、第２の効果として、確実に最新のソフトウェアをアップデートすることができる。
【００１６】
第１の効果について説明する。
ソフトウェア格納部（３３Ａ）に格納されたソフトウェアに不具合（バグ、障害）が生じる可能性がある。そこで、ソフトウェアのメンテナンスを行なうために、バージョンアップした修正用ソフトウェア（最新のソフトウェア）を携帯電話機（１０）のソフトウェア格納部（３３Ａ）にアップデートする必要がある。そこで、本発明の携帯電話機（１０）によれば、充電器（６）がバッテリ（９）に接続されたときに、管理局端末（１）からソフトウェア格納部（３３Ａ）に最新のソフトウェアを自動的にアップデートする。このため、ユーザは、簡単な操作で最新のソフトウェアをアップデートすることができる。ユーザの簡単な操作として、ユーザは充電器（６）をバッテリ（９）に接続すればよい。
本発明の携帯電話機（１０）によれば、ユーザは、簡単な操作で最新のソフトウェアをアップデートすることができるため、店舗に出向いて携帯電話機（１０）を新しい携帯電話機に交換してもらう必要がない。これにより、ユーザが店舗に出向いたり、新しい携帯電話機に交換するようなソフトウェアの不具合の対応にかかるコストが低減される。
携帯電話機（１０）は、ＣＰＵ（１１）を内蔵するコンピュータである。ところが、携帯電話機（１０）を所有する全てのユーザが、携帯電話機（１０）を電話機として利用しても、携帯電話機（１０）をコンピュータとして利用できるとは限らない。携帯電話機（１０）を所有する全てのユーザのうち、コンピュータとしての携帯電話機（１０）の操作に不慣れなユーザも存在するはずである。そこで、本発明の携帯電話機（１０）によれば、ユーザは、簡単な操作で最新のソフトウェアをアップデートすることができるため、ユーザ自らがソフトウェアの不具合（バグ、障害）を発見する必要がない。
【００１７】
第２の効果について説明する。
本発明の携帯電話機（１０）によれば、充電器（６）がバッテリ（９）に接続されたときに、管理局端末（１）からソフトウェア格納部（３３Ａ）に最新のソフトウェアを自動的にアップデートする。通常、充電器（６）は、外部電源（７）とバッテリ（９）とに接続されたときに、バッテリ（９）を充電する。充電器（６）とバッテリ（９）とが接続されていても、充電器（６）と外部電源（７）とが接続されていない場合がある。充電器（６）と外部電源（７）とが接続されていない場合としては、外部電源（７）に充電器（６）が正確に接続されていない場合、停電により外部電源（７）からの電力が充電器（６）に供給されない場合が例示される。この場合、充電器（６）は、バッテリ（９）に接続されていても、外部電源（７）に接続されていない場合、バッテリ（９）を充電することはできない。このように、本発明の携帯電話機（１０）によれば、充電器（６）がバッテリ（９）に接続されたときに、充電器（６）がバッテリ（９）を充電していなくても、確実に最新のソフトウェアをアップデートすることができる。
【００１８】
本発明の携帯電話機（１０）は、以下に示す通信システムに適用される。この通信システムは、本発明の携帯電話機（１０）と、アップデート要求に応じて最新のソフトウェアを提供する管理局端末（１）と、記憶装置（４、５）とを具備する。
本発明の携帯電話機（１０）は、携帯電話機本体（８）と、バッテリ（９）とを具備する。バッテリ（９）は、携帯電話機本体（８）にバッテリ電源を供給し、充電器（６）に接続可能である。充電器（６）は、外部電源（７）とバッテリ（９）とに接続されたときに、バッテリ（９）を充電する。
携帯電話機本体（８）は、ソフトウェアを格納するソフトウェア格納部（３３Ａ）と、管理局端末（１）と無線通信網（２）を介して接続された携帯電話用通信部（１４）と、アップデート制御部（３１Ｂ）と、ユーザに関連するユーザデータを格納するユーザデータ格納部（３３Ｂ）と、記憶装置（４、５）に接続されたバックアップ用通信部（１５−１、１５−２）と、バックアップ制御部（３１Ｃ）とを具備する。
アップデート制御部（３１Ｂ）は、充電器（６）がバッテリ（９）に接続されたときに、アップデート要求を携帯電話用通信部（１４）から管理局端末（１）に送信し、管理局端末（１）から携帯電話用通信部（１４）に送信された最新のソフトウェアを上記のソフトウェアとしてソフトウェア格納部（３３Ａ）に格納する。
バックアップ制御部（３１Ｃ）は、充電器（６）がバッテリ（９）に接続されたときに、ユーザデータ格納部（３３Ｂ）からユーザデータを読み出して、バックアップ用通信部（１５−１、１５−２）から記憶装置（４、５）に送信して格納する。
【００１９】
以上の構成により、本発明の携帯電話機（１０）によれば、第１、第２の効果に加えて、第３の効果として、簡単な操作でユーザデータをバックアップすることができる。
また、本発明の携帯電話機（１０）によれば、第１〜第３の効果に加えて、第４の効果として、確実にユーザデータをバックアップすることができる。
また、本発明の携帯電話機（１０）によれば、第１〜第４の効果に加えて、第５の効果として、バックアップされたユーザデータをコンピュータに不慣れなユーザでも利用することができる。
【００２０】
第３の効果について説明する。
携帯電話機（１０）自体に不具合が発生した場合を想定して、ユーザデータ格納部（３３Ｂ）に格納されたユーザデータをバックアップする必要がある。そこで、本発明の携帯電話機（１０）によれば、充電器（６）がバッテリ（９）に接続されたときに、ユーザデータ格納部（３３Ｂ）からユーザデータを読み出して、記憶装置（４、５）に自動的にバックアップする。このため、ユーザは、簡単な操作でユーザデータをバックアップすることができる。ユーザの簡単な操作として、ユーザは充電器（６）をバッテリ（９）に接続すればよい。携帯電話機（１０）を所有する全てのユーザのうち、コンピュータとしての携帯電話機（１０）の操作に不慣れなユーザも存在するはずである。このようなユーザでも、充電器（６）をバッテリ（９）に接続することにより、簡単な操作でユーザデータをバックアップすることができる。
【００２１】
第４の効果について説明する。
特許文献１では、携帯電話機は、そのバッテリを充電器が充電したときに、ユーザデータをバックアップ処理装置にバックアップしている。ところが、外部電源に充電器が正確に接続されていない場合、停電により外部電源からの電力が充電器に供給されない場合、充電器は、そのバッテリに接続されていても、外部電源に接続されていなければ、そのバッテリを充電することはできない。そのバッテリを充電できない場合、携帯電話機は、確実にユーザデータをバックアップすることができない。
一方、本発明の携帯電話機（１０）によれば、充電器（６）がバッテリ（９）に接続されたときに、充電器（６）がバッテリ（９）を充電していなくても、ユーザデータ格納部（３３Ｂ）からユーザデータを読み出して、記憶装置（４、５）に自動的にバックアップする。このように、本発明の携帯電話機（１０）によれば、充電器（６）がバッテリ（９）に接続された場合、確実にユーザデータをバックアップすることができる。
【００２２】
第５の効果について説明する。
特許文献２〜４では、汎用の充電器を用いるのではなく、汎用ではない非汎用の専用充電器を用いて、ユーザデータをバックアップしている。この専用充電器は、メモリを内蔵し、携帯電話機のバッテリに接続されたときに、専用充電器のメモリにユーザデータをバックアップするものである。携帯電話機を所有する全てのユーザのうち、コンピュータに不慣れなユーザも存在するはずである。コンピュータに不慣れなユーザは、非汎用の専用充電器を用いて、専用充電器のメモリに格納されたユーザデータを利用できるとは限らない。
一方、本発明の携帯電話機（１０）によれば、汎用の充電器（６）、汎用の記憶装置（４、５）を用いて、ユーザデータをバックアップしている。この携帯電話機（１０）では、汎用の充電器（６）がバッテリ（９）に接続されたときに、ユーザデータ格納部（３３Ｂ）からユーザデータを読み出して、汎用の記憶装置（４、５）に自動的にバックアップする。このため、コンピュータに不慣れなユーザは、汎用の記憶装置（４、５）を用いて、記憶装置（４、５）に格納されたユーザデータを利用できる。
【００２３】
携帯電話用通信部（１４）は、相手側端末と無線通信網（２）を介して接続される。
充電器（６）がバッテリ（９）に接続されたときに、携帯電話用通信部（１４）が相手側端末と通信を行っていない。この場合、アップデート制御部（３１Ｂ）は、アップデート要求を携帯電話用通信部（１４）から管理局端末（１）に送信し、管理局端末（１）から携帯電話用通信部（１４）に送信された最新のソフトウェアを上記のソフトウェアとしてソフトウェア格納部（３３Ａ）に格納する。
【００２４】
携帯電話機本体（８）は、更に、携帯電話機本体（８）をユーザが操作するための操作部（１６）を具備する。
充電器（６）がバッテリ（９）に接続されたときに、ユーザが操作部（１６）を操作せず、携帯電話用通信部（１４）が相手側端末と通信を行っていない。この場合、アップデート制御部（３１Ｂ）は、アップデート要求を携帯電話用通信部（１４）から管理局端末（１）に送信し、管理局端末（１）から携帯電話用通信部（１４）に送信された最新のソフトウェアを上記のソフトウェアとしてソフトウェア格納部（３３Ａ）に格納する。
【００２５】
携帯電話用通信部（１４）は、相手側端末と無線通信網（２）を介して接続される。
充電器（６）がバッテリ（９）に接続されたときに、携帯電話用通信部（１４）が相手側端末と通信を行っていない。この場合、アップデート制御部（３１Ｂ）は、アップデート要求を携帯電話用通信部（１４）から管理局端末（１）に送信し、管理局端末（１）から携帯電話用通信部（１４）に送信された最新のソフトウェアを上記のソフトウェアとしてソフトウェア格納部（３３Ａ）に格納する。バックアップ制御部（３１Ｃ）は、ユーザデータ格納部（３３Ｂ）からユーザデータを読み出して、バックアップ用通信部（１５−１、１５−２）から記憶装置（４、５）に送信して格納する。
【００２６】
携帯電話機本体（８）は、更に、携帯電話機本体（８）をユーザが操作するための操作部（１６）を具備する。
充電器（６）がバッテリ（９）に接続されたときに、ユーザが操作部（１６）を操作せず、携帯電話用通信部（１４）が相手側端末と通信を行っていない。この場合、アップデート制御部（３１Ｂ）は、アップデート要求を携帯電話用通信部（１４）から管理局端末（１）に送信し、管理局端末（１）から携帯電話用通信部（１４）に送信された最新のソフトウェアを上記のソフトウェアとしてソフトウェア格納部（３３Ａ）に格納する。バックアップ制御部（３１Ｃ）は、ユーザデータ格納部（３３Ｂ）からユーザデータを読み出して、バックアップ用通信部（１５−１、１５−２）から記憶装置（４、５）に送信して格納する。
【００２７】
記憶装置（４）は、無線ネットワーク（３）を介してバックアップ用通信部（１５−１）と接続された外部端末（４）である。外部端末（４）は、外部端末用記憶部（４Ａ）を備えている。
バックアップ用通信部（１５−１）から外部端末（４）に送信されたユーザデータは、外部端末（４）により外部端末用記憶部（４Ａ）に格納される。
【００２８】
バックアップ用通信部（１５−２）は、メモリカードスロット（５４）を含む。記憶装置（５）は、メモリカードスロット（５４）に装着されたメモリカード（５）である。メモリカード（５）は、メモリカード用記憶部（５Ａ）を備えている。
バックアップ用通信部（１５−２）からメモリカード（５）に送信されたユーザデータは、バックアップ制御部（３１Ｃ）によりメモリカード用記憶部（５Ａ）に格納される。
【００２９】
バックアップ用通信部（１５−１、１５−２）は、メモリカードスロット（５４）を含む。記憶装置（４、５）は、外部端末（４）と、メモリカード（５）とを含む。外部端末（４）は、無線ネットワーク（３）を介してバックアップ用通信部（１５−１、１５−２）と接続され、外部端末用記憶部（４Ａ）を備えている。メモリカード（５）は、メモリカードスロット（５４）に装着可能であり、メモリカード用記憶部（５Ａ）を備えている。
充電器（６）がバッテリ（９）に接続されたときに、携帯電話用通信部（１４）が相手側端末と通信を行ってなく、メモリカード（５）がメモリカードスロット（５４）に装着されていない、この場合、バックアップ制御部（３１Ｃ）は、ユーザデータ格納部（３３Ｂ）からユーザデータを読み出して、バックアップ用通信部（１５−１）を介して外部端末（４）に送信する。バックアップ用通信部（１５−１）から外部端末（４）に送信されたユーザデータは、外部端末（４）により外部端末用記憶部（４Ａ）に格納される。
充電器（６）がバッテリ（９）に接続されたときに、携帯電話用通信部（１４）が相手側端末と通信を行ってなく、メモリカード（５）がメモリカードスロット（５４）に装着されている。この場合、バックアップ制御部（３１Ｃ）は、ユーザデータ格納部（３３Ｂ）からユーザデータを読み出して、バックアップ用通信部（１５−２）を介してメモリカード（５）に送信してメモリカード用記憶部（５Ａ）に格納する。
【００３０】
バックアップ用通信部（１５−１、１５−２）は、メモリカードスロット（５４）を含む。記憶装置（４、５）は、外部端末（４）と、メモリカード（５）とを含む。外部端末（４）は、無線ネットワーク（３）を介してバックアップ用通信部（１５−１、１５−２）と接続され、外部端末用記憶部（４Ａ）を備えている。メモリカード（５）は、メモリカードスロット（５４）に装着可能であり、メモリカード用記憶部（５Ａ）を備えている。
充電器（６）がバッテリ（９）に接続されたときに、ユーザが操作部（１６）を操作せず、携帯電話用通信部（１４）が相手側端末と通信を行ってなく、メモリカード（５）がメモリカードスロット（５４）に装着されていない。この場合、バックアップ制御部（３１Ｃ）は、ユーザデータ格納部（３３Ｂ）からユーザデータを読み出して、バックアップ用通信部（１５−１）を介して外部端末（４）に送信する。バックアップ用通信部（１５−１）から外部端末（４）に送信されたユーザデータは、外部端末（４）により外部端末用記憶部（４Ａ）に格納される。
充電器（６）がバッテリ（９）に接続されたときに、ユーザが操作部（１６）を操作せず、携帯電話用通信部（１４）が相手側端末と通信を行ってなく、メモリカード（５）がメモリカードスロット（５４）に装着されている。この場合、バックアップ制御部（３１Ｃ）は、ユーザデータ格納部（３３Ｂ）からユーザデータを読み出して、バックアップ用通信部（１５−２）を介してメモリカード（５）に送信してメモリカード用記憶部（５Ａ）に格納する。
【００３１】
無線ネットワーク（３）は、Ｗ−ＬＡＮ（Ｗｉｒｅｌｅｓｓ  Ｌｏｃａｌ  Ａｒｅａ  Ｎｅｔｗｏｒｋ）である。
【００３２】
無線ネットワーク（３）は、Ｂｌｕｅｔｏｏｔｈに適用される。
【発明の効果】
【００３３】
以上の説明により、本発明の携帯電話機は、簡単な操作で最新のソフトウェアをアップデートすることができる。
【００３４】
本発明の携帯電話機は、確実に最新のソフトウェアをアップデートすることができる。
【００３５】
本発明の携帯電話機は、簡単な操作でユーザデータをバックアップすることができる。
【００３６】
本発明の携帯電話機は、確実にユーザデータをバックアップすることができる。
【００３７】
本発明の携帯電話機は、バックアップされたユーザデータをコンピュータに不慣れなユーザでも利用することができる。
【発明を実施するための最良の形態】
【００３８】
添付図面を参照して、本発明による携帯電話機を実施するための最良の形態を以下に説明する。
【００３９】
図１は、本発明の携帯電話機１０に適用される通信システムの構成を示す。この通信システムは、携帯電話機１０と、管理局端末１と、無線通信網２と、無線ネットワーク３と、外部端末４と、メモリカード５と、充電器６とを含む。
【００４０】
携帯電話機１０は、市販され、携帯電話機１０を購入したユーザにより使用される。携帯電話機１０は、携帯電話機本体８と、バッテリ９とを具備する。バッテリ９は、携帯電話機本体８にバッテリ電源を供給し、充電器６に接続可能である。携帯電話機本体８の設定用メモリ（後述）には、ソフトウェアと、ユーザに関連するユーザデータ（ユーザの操作により格納されたデータを含む）とが格納される。
【００４１】
充電器６は、携帯電話機１０と共に市販され、携帯電話機１０を購入したユーザにより使用される。充電器６は、汎用の充電器であり、外部電源７（例示；商用電源）とバッテリ９とに接続可能である。充電器６は、外部電源７とバッテリ９とに接続されたときに、バッテリ９を充電する。
【００４２】
携帯電話機１０は、無線通信網２に接続される。無線通信網２は、基地局Ｙを含む。携帯電話機１０は、無線通信網２を介して相手側端末（図示しない）と通信可能である。無線通信網２には、管理局端末１が接続されている。
【００４３】
管理局端末１は、管理局Ｘにより使用される。管理局端末１は、コンピュータであり、管理局端末用記憶部１Ａと、ＣＰＵ（Ｃｅｎｔｒａｌ  Ｐｒｏｃｅｓｓｉｎｇ  Ｕｎｉｔ）を含む管理局端末用実行部１Ｂとを具備する。管理局Ｘの作業者は、管理局端末用実行部１Ｂを実行して、最新のソフトウェアを管理局端末用記憶部１Ａに格納する。最新のソフトウェアとは、携帯電話機１０の携帯電話機本体８の設定用メモリに格納されたソフトウェアよりも新しいことをいう。携帯電話機本体８の設定用メモリに格納されたソフトウェアに不具合（バグ、障害）が生じる可能性がある。そこで、ソフトウェアのメンテナンスを行なうために、バージョンアップした修正用ソフトウェア（最新のソフトウェア）を携帯電話機本体８の設定用メモリにアップデートする必要がある。携帯電話機本体８は、充電器６がバッテリ７に接続されたときに、管理局端末１から最新のソフトウェアをアップデートすることができる。
【００４４】
携帯電話機１０は、無線ネットワーク３に接続される場合がある。無線ネットワーク３には、外部端末４が接続されている。無線ネットワーク３としては、Ｗ−ＬＡＮ（Ｗｉｒｅｌｅｓｓ  Ｌｏｃａｌ  Ａｒｅａ  Ｎｅｔｗｏｒｋ）が例示される。または、無線ネットワーク３は、Ｂｌｕｅｔｏｏｔｈに適用される。
【００４５】
外部端末４は、汎用の端末であり、ユーザにより使用される。外部端末４は、コンピュータであり、外部端末用記憶部４Ａと、ＣＰＵを含む外部端末用実行部４Ｂとを具備する。携帯電話機本体８は、充電器６がバッテリ７に接続されたときに、外部端末４を記憶装置として使用する場合、携帯電話機本体８の設定用メモリに格納されたユーザデータを外部端末４にバックアップすることができる。この場合、外部端末４の外部端末用実行部４Ｂは、携帯電話機１０からのユーザデータを外部端末用記憶部４Ａに格納する。
【００４６】
携帯電話機１０の携帯電話機本体８には、メモリカード５を装着（挿入）するためのメモリカードスロット（後述）がオプションとして設けられている場合がある。メモリカード５は、市販され（又は携帯電話機１０と共に市販され）、メモリカード５を購入したユーザにより使用される。メモリカード５は、汎用のメモリカードであり、メモリカード用記憶部５Ａを具備する。携帯電話機本体８は、充電器６がバッテリ７に接続されたときに、メモリカード５を記憶装置として使用する場合、携帯電話機本体８の設定用メモリに格納されたユーザデータをメモリカード５にバックアップすることができる。この場合、メモリカード５のメモリカード用記憶部５Ａには、ユーザデータが格納される。
【００４７】
図２は、本発明の携帯電話機１０の構成を示す。携帯電話機１０の携帯電話機本体８は、ＣＰＵ１１、バッテリ電源制御部１２、携帯電話機用記憶部１３、携帯電話用通信部１４、バックアップ用通信部１５、操作部１６、表示装置１７、送受話部１８、バス１９を具備する。ＣＰＵ１１は、バス１９に接続されている。
【００４８】
バッテリ電源制御部１２は、充電制御部２１、充電器接続検出部２２を含む。充電器接続検出部２２は、バス１９に接続されている。充電器接続部２３は、充電器接続検出部２２に接続されている。充電器接続部２３には、バッテリ９が接続されている。このバッテリ９は、上述のように、携帯電話機本体８にバッテリ電源（直流電圧）を供給する。
充電器接続部２３は、充電器６のコネクタまたは卓上ホルダと接続するための接続部であり、バッテリ９は、充電器接続部２３を介して充電器６に接続される。充電器６は、外部電源７（商用電源）から第１電力（交流電圧）を第２電力（直流電圧）に変換する。充電器６は、外部電源７とバッテリ９とに接続されたときに、充電器接続部２３を介してバッテリ９に第２電力（直流電圧）を供給して、バッテリ９を充電する。充電器接続検出部２２は、充電器接続部２３に充電器６が接続されたか否かを検出する。充電器接続部２３に充電器６が接続された場合、充電器接続検出部２２は、充電器接続部２３に充電器６が接続されていることを表す充電器接続検出信号をＣＰＵ１１に出力する。
【００４９】
携帯電話機用記憶部１３は、ＲＯＭ（Ｒｅａｄ  Ｏｎｌｙ  Ｍｅｍｏｒｙ）３１、作業用メモリ３２、上記の設定用メモリである設定用メモリ３３を含む。ＲＯＭ３１と作業用メモリ３２と設定用メモリ３３は、バス１９に接続されている。
ＲＯＭ３１は、ＣＰＵ１１が実行するための固定的なコンピュータプログラムである制御プログラムを格納する。制御プログラムは、ソフトウェアのアップデートやユーザデータのバックアップを行なうコンピュータプログラムを含む。
作業用メモリ３２は、ＲＡＭ（Ｒａｎｄｏｍ  Ａｃｃｅｓｓ  Ｍｅｍｏｒｙ）によって構成されており、ＣＰＵ１１がコンピュータプログラムを実行する上で一時的に必要とされるデータを格納するためのもので携帯電話機１０（携帯電話機本体８）の電源をオフすると消去される。
設定用メモリ３３は、ＣＰＵ１１からの指示に応じて、上記のソフトウェア、ユーザデータを格納する。この設定用メモリ３３は、不揮発メモリで構成されており、携帯電話機１０（携帯電話機本体８）の電源をオフしてもソフトウェア、ユーザデータは消えない。
【００５０】
携帯電話用通信部１４は、携帯電話制御部４１と、携帯電話送受信部４２とを含む。携帯電話制御部４１は、バス１９に接続されている。携帯電話送受信部４２は、携帯電話制御部４１に接続されている。携帯電話送受信部４２には、無線通信網２を介して管理局端末１、相手側端末（図示しない）が接続される。
携帯電話送受信部４２は、無線通信網２に対してデータの送受信を行なう回路およびアンテナである。携帯電話送受信部４２と相手側端末とが無線通信網２を介して通信を行なう場合、携帯電話送受信部４２は、無線通信網２に対して音声、電子メール等のデータを送受信する。携帯電話制御部４１は、ＣＰＵ１１からの指示に応じてデータを送信するように、携帯電話送受信部４２を制御する。携帯電話制御部４１は、データを受信してＣＰＵ１１に出力するように、携帯電話送受信部４２を制御する。
【００５１】
バックアップ用通信部１５は、Ｗ−ＬＡＮバックアップ用通信部１５−１と、メモリカードバックアップ用通信部１５−２とを含む。
【００５２】
Ｗ−ＬＡＮバックアップ用通信部１５−１は、Ｗ−ＬＡＮ制御部５１、Ｗ−ＬＡＮ送受信部５２を含む。
Ｗ−ＬＡＮ制御部５１は、バス１９に接続されている。Ｗ−ＬＡＮ送受信部５２は、Ｗ−ＬＡＮ制御部５１に接続されている。Ｗ−ＬＡＮ送受信部５２には、無線ネットワーク３を介して外部端末４が接続される。Ｗ−ＬＡＮ送受信部５２は、無線ネットワーク３に対してデータの送受信を行なう回路である。Ｗ−ＬＡＮ制御部５１は、ＣＰＵ１１からの指示に応じてデータを送信するように、Ｗ−ＬＡＮ送受信部５２を制御する。Ｗ−ＬＡＮ制御部５１は、データを受信してＣＰＵ１１に出力するように、Ｗ−ＬＡＮ送受信部５２を制御する。
【００５３】
メモリカードバックアップ用通信部１５−２は、メモリカード制御部５３、上記のメモリカードスロットであるメモリカードスロット５４を含む。
メモリカード制御部５３は、バス１９に接続されている。メモリカードスロット５４は、メモリカード制御部５３に接続されている。メモリカードスロット５４には、メモリカード５が装着（挿入）される。メモリカード制御部５３は、メモリカードスロット５４にメモリカード５が挿入されていることを表す挿入検出信号をＣＰＵ１１に出力する。メモリカードスロット５４にメモリカード５が挿入されているとき、メモリカード制御部５３は、ＣＰＵ１１からの指示に応じてデータをメモリカード５に送信する（書き込む）。メモリカードスロット５４にメモリカード５が挿入されているとき、メモリカード制御部５３は、ＣＰＵ１１からの指示に応じてメモリカード５からデータを読み出す。
【００５４】
操作部１６は、キー入力部６１、操作キー６２を含む。キー入力部６１は、バス１９に接続されている。操作キー６２は、キー入力部６１に接続されている。操作キー６２は、電話操作、電子メール操作やユーザ設定を行なう入力デバイスである。キー入力部６１は、操作キー６２のキー入力を受け付けて、キー入力の押下を表す信号をＣＰＵ１１に出力する。
【００５５】
表示装置１７は、表示制御部７１、表示部７２を含む。表示制御部７１は、バス１９に接続されている。表示部７２は、表示制御部７１に接続されている。表示制御部７１は、ＣＰＵ１１からの指示に応じてデータ（ユーザデータ、ソフトウェアの実行状態を表すデータを含む）を表示するように、表示部７２を制御する。表示部７２は、携帯電話機１０の操作状態、電子メール編集画面やユーザ設定を表示する表示デバイスである。この表示デバイスとしては、白黒またはカラーの液晶パネル、有機ＥＬ（電子蛍光）が例示される。
【００５６】
送受話部１８は、マイク８１、レシーバ８２を含む。マイク８１とレシーバ８２は、バス１９に接続されている。マイク８１、レシーバ８２は携帯電話通話時に使用される。
【００５７】
図３は、本発明の携帯電話機１０の携帯電話機本体８における設定用メモリ３３の構成を示す。設定用メモリ３３は、ソフトウェア格納部３３Ａと、ユーザデータ格納部３３Ｂとを含む。
【００５８】
図４は、本発明の携帯電話機１０の携帯電話機本体８における設定用メモリ３３のソフトウェア格納部３３Ａを示す。ソフトウェア格納部３３Ａは、ソフトウェアと、ソフトウェアの識別子であるバージョン情報とを対応付けて格納する。ソフトウェアとしては、通話用ソフトウェア、電子メール用ソフトウェア、ゲーム用ソフトウェア、迷惑メール防止用ソフトウェア、悪戯電話防止用ソフトウェアが例示される。
通話用ソフトウェアは、ユーザが携帯電話機１０を用いて電話するためのコンピュータプログラムである。通話用ソフトウェアのバージョン情報は、例えば、通話用ソフトウェアを表すプログラム識別子“Ａ”と、通話用ソフトウェアのバージョンを表す番号識別子“１”とを合わせた“Ａ１”により表される。
電子メール用ソフトウェアは、ユーザが携帯電話機１０を用いて電子メールを行なうためのコンピュータプログラムである。電子メール用ソフトウェアのバージョン情報は、例えば、電子メール用ソフトウェアを表すプログラム識別子“Ｂ”と、電子メール用ソフトウェアのバージョンを表す番号識別子“１”とを合わせた“Ｂ１”により表される。
ゲーム用ソフトウェアは、ユーザが携帯電話機１０を用いてゲームを行なうためのコンピュータプログラムである。ゲーム用ソフトウェアのバージョン情報は、例えば、ゲーム用ソフトウェアを表すプログラム識別子“Ｃ”と、ゲーム用ソフトウェアのバージョンを表す番号識別子“１”とを合わせた“Ｃ１”により表される。
迷惑メール防止用ソフトウェアは、迷惑メールを防止するコンピュータプログラムである。迷惑メールの防止としては、受信拒否が例示される。迷惑メール防止用ソフトウェアのバージョン情報は、例えば、迷惑メール防止用ソフトウェアを表すプログラム識別子“Ｄ”と、迷惑メール防止用ソフトウェアのバージョンを表す番号識別子“１”とを合わせた“Ｄ１”により表される。
悪戯電話防止用ソフトウェアは、悪戯電話を防止するコンピュータプログラムである。悪戯電話の防止としては、着信拒否が例示される。悪戯電話防止用ソフトウェアのバージョン情報は、例えば、悪戯電話防止用ソフトウェアを表すプログラム識別子“Ｅ”と、悪戯電話防止用ソフトウェアのバージョンを表す番号識別子“１”とを合わせた“Ｅ１”により表される。
【００５９】
図５は、本発明の携帯電話機１０の携帯電話機本体８における設定用メモリ３３のユーザデータ格納部３３Ｂを示す。ユーザデータ格納部３３Ｂは、ユーザデータと、ユーザデータの識別子であるユーザデータ項目とを対応付けて格納する。ユーザデータ項目とは、ユーザが操作部１６を操作して任意に設定した設定値、あるいは、設定が行なわれていない場合はデフォルト値により表される。ユーザデータとしては、画面データ、着信メロディデータ、テキストデータが例示される。画面データは、ユーザが操作部１６を操作しないときに表示装置１７に表示される画面（待受け画面）を表すデータ、電子メールに添付するための画面（添付用画面）を表すデータを含む。携帯電話機本体８がカメラを具備し、ユーザが操作部１６を操作してカメラにより画像を取得した場合、その画像を表すデータは画面データ（待受け画面、添付用画面）に含まれる。着信メロディデータは、携帯電話用通信部１４が着呼（電話、電子メール受信）を認識したときに、呼出音としてメロディを流してユーザに通知するためのデータである。テキストデータは、Ｗｅｂ、インターネット、電子メールで例示される文章を表すデータである。
図示しないが、ユーザデータ格納部３３Ｂには、更に、バックアップ先として外部端末４のアドレスが格納されている。
【００６０】
図６は、本発明の携帯電話機１０の携帯電話機本体８におけるＲＯＭ３１に格納された制御プログラムの構成を示す。ＲＯＭ３１に格納された制御プログラムは、コンピュータプログラムであるソフトウェア実行部３１Ａ、アップデート制御部３１Ｂ、バックアップ制御部３１Ｃ、バックアップ場所変更実行部３１Ｄ、バックアップ場所設定部３１Ｅを含む。
図７は、本発明の携帯電話機１０の携帯電話機本体８におけるＲＯＭ３１のバックアップ場所設定部３１Ｅを示す。バックアップ場所設定部３１Ｅには、外部端末フラグ、メモリカードフラグが設定される。
【００６１】
図６に示されるように、ソフトウェア実行部３１Ａは、ソフトウェア格納部３３Ａに格納されたソフトウェアをＣＰＵ１１が実行するためのプログラムである。ユーザデータ格納部３３Ｂに格納されたユーザデータには、ソフトウェア実行部３１Ａにより生成されたユーザデータが含まれる。
アップデート制御部３１Ｂは、充電器接続検出部２２からの充電器接続検出信号に応じてＣＰＵ１１により起動される。このアップデート制御部３１Ｂは、アップデート処理を実行するためのプログラムである。アップデート処理とは、ＣＰＵ１１（アップデート制御部３１Ｂ）が最新のソフトウェアをアップデートする処理をいう（以下、アップデート処理と称する）。
バックアップ制御部３１Ｃは、充電器接続検出部２２からの充電器接続検出信号に応じてＣＰＵ１１により起動される。このバックアップ制御部３１Ｃは、バックアップ処理を実行するためのプログラムである。バックアップ処理は、外部端末バックアップ処理、メモリカードバックアップ処理、選択バックアップ処理を含む。外部端末バックアップ処理とは、ＣＰＵ１１（バックアップ制御部３１Ｃ）が、バックアップ場所設定部３１Ｅに設定された外部端末フラグに従って、ユーザデータ格納部３３Ｂに格納されたユーザデータを外部端末４の外部端末用記憶部４Ａにバックアップする処理をいう。メモリカードバックアップ処理とは、ＣＰＵ１１（バックアップ制御部３１Ｃ）が、バックアップ場所設定部３１Ｅに設定されたメモリカードフラグに従って、ユーザデータ格納部３３Ｂに格納されたユーザデータをメモリカード５のメモリカード用記憶部５Ａにバックアップする処理をいう。選択バックアップ処理とは、ＣＰＵ１１（バックアップ制御部３１Ｃ）が、バックアップ場所設定部３１Ｅに設定された外部端末フラグとメモリカードフラグとに従って、ユーザデータ格納部３３Ｂに格納されたユーザデータを外部端末４の外部端末用記憶部４Ａ、又は、メモリカード５のメモリカード用記憶部５Ａにバックアップする処理をいう。
バックアップ場所変更実行部３１Ｄは、ユーザによる操作部１６の操作に応じて、バックアップ場所設定部３１Ｅにフラグ（外部端末フラグ、メモリカードフラグ）を設定するためのプログラムである。
【００６２】
図８は、管理局端末１の管理局端末用記憶部１Ａを示す。管理局端末用記憶部１Ａは、ソフトウェアと、ソフトウェアの識別子であるバージョン情報とを対応付けて格納する。ソフトウェアとしては、通話用ソフトウェア、電子メール用ソフトウェア、ゲーム用ソフトウェア、迷惑メール防止用ソフトウェア、悪戯電話防止用ソフトウェアが例示される。管理局端末用記憶部１Ａに格納されたソフトウェア、バージョン情報は、それぞれ、最新のソフトウェア、最新のソフトウェアのバージョン情報（最新のバージョン情報）を含む。また、管理局端末用記憶部１Ａに格納されたソフトウェア、バージョン情報は、それぞれ、携帯電話機本体８における設定用メモリ３３のソフトウェア格納部３３Ａに格納されたソフトウェア、バージョン情報を含む。
管理局端末用記憶部１Ａに最新の通話用ソフトウェアが格納されている場合、最新の通話用ソフトウェアのバージョン情報は、例えば、その通話用ソフトウェアを表すプログラム識別子“Ａ”と、その通話用ソフトウェアの最新のバージョンを表す番号識別子“２”とを合わせた“Ａ２”により表される。
管理局端末用記憶部１Ａに最新の電子メール用ソフトウェアが格納されている場合、最新の電子メール用ソフトウェアのバージョン情報は、例えば、その電子メール用ソフトウェアを表すプログラム識別子“Ｂ”と、その電子メール用ソフトウェアの最新のバージョンを表す番号識別子“２”とを合わせた“Ｂ２”により表される。
管理局端末用記憶部１Ａに最新のゲーム用ソフトウェアが格納されている場合、最新のゲーム用ソフトウェアのバージョン情報は、例えば、そのゲーム用ソフトウェアを表すプログラム識別子“Ｃ”と、そのゲーム用ソフトウェアの最新のバージョンを表す番号識別子“２”とを合わせた“Ｃ２”により表される。
管理局端末用記憶部１Ａに最新のゲーム用ソフトウェアが格納されている場合、最新の迷惑メール防止用ソフトウェアのバージョン情報は、例えば、その迷惑メール防止用ソフトウェアを表すプログラム識別子“Ｄ”と、その迷惑メール防止用ソフトウェアの最新のバージョンを表す番号識別子“２”とを合わせた“Ｄ２”により表される。
管理局端末用記憶部１Ａに最新の悪戯電話防止用ソフトウェアが格納されている場合、最新の悪戯電話防止用ソフトウェアのバージョン情報は、例えば、その悪戯電話防止用ソフトウェアを表すプログラム識別子“Ｅ”と、その悪戯電話防止用ソフトウェアの最新のバージョンを表す番号識別子“２”とを合わせた“Ｅ２”により表される。
【００６３】
次に、本発明の携帯電話機１０の動作について説明する。携帯電話機１０の動作としては、アップデート処理、バックアップ処理（外部端末バックアップ処理、メモリカードバックアップ処理、選択バックアップ処理）を含む。
ここで、携帯電話機１０は、アップデート処理を実行した後にバックアップ処理を実行するものとする。
【００６４】
まず、アップデート処理について説明する。図９は、本発明の携帯電話機１０の動作としてアップデート処理を示すフローチャートである。
【００６５】
バッテリ電源制御部１２の充電器接続検出部２２は、ユーザにより充電器接続部２３に充電器６が接続されたか否かを検出する（ステップＳ１）。充電器接続部２３に充電器６が接続された場合、充電器接続検出部２２は、充電器接続部２３に充電器６が接続されている間、充電器接続検出信号をＣＰＵ１１に出力する（ステップＳ１−ＹＥＳ）。ステップＳ１−ＹＥＳにて、ＣＰＵ１１は、充電器接続検出部２２から充電器接続検出信号を入力した場合、ＲＯＭ３１に格納されたアップデート制御部３１Ｂを起動する。
【００６６】
アップデート制御部３１Ｂは、携帯電話用通信部１４が相手側端末と通信を行なっているか否かを検出する（ステップＳ２）。携帯電話用通信部１４が相手側端末と通信を行なっている場合（ステップＳ２−ＹＥＳ）、アップデート制御部３１Ｂは、携帯電話用通信部１４と相手側端末との通信が終わるまでステップＳ２を実行する。ステップＳ２において、アップデート制御部３１Ｂは、ユーザが操作部１６を操作しているか否かを検出する。ユーザが操作部１６を操作している場合（ステップＳ２−ＹＥＳ）、アップデート制御部３１Ｂは、ユーザによる操作部１６の操作が終わるまでステップＳ２を実行する。
【００６７】
ユーザが操作部１６を操作せず、携帯電話用通信部１４が相手側端末と通信を行なっていない場合（ステップＳ２−ＮＯ）、アップデート制御部３１Ｂは、アップデート要求を行なう（ステップＳ３）。アップデート要求は、設定用メモリ３３のソフトウェア格納部３３Ａに格納されたソフトウェアに対して最新のソフトウェアをアップデートするべきか否かを、管理局Ｘに問い合わせる処理をいう。ステップＳ３では、まず、アップデート制御部３１Ｂは、設定用メモリ３３のソフトウェア格納部３３Ａに格納された通話用ソフトウェア、電子メール用ソフトウェア、ゲーム用ソフトウェア、迷惑メール防止用ソフトウェア、悪戯電話防止用ソフトウェアのバージョン情報“Ａ１”、“Ｂ１”、“Ｃ１”、“Ｄ１”、“Ｅ１”を読み出す。次に、アップデート制御部３１Ｂは、読み出されたバージョン情報“Ａ１”、“Ｂ１”、“Ｃ１”、“Ｄ１”、“Ｅ１”を含むアップデート要求が管理局Ｘの管理局端末１に送信されるように、携帯電話用通信部１４を制御する。
【００６８】
例えば、管理局端末１の管理局端末用記憶部１Ａには、最新のソフトウェアとして、通話用ソフトウェア、電子メール用ソフトウェア、ゲーム用ソフトウェア、迷惑メール防止用ソフトウェア、悪戯電話防止用ソフトウェアとそのバージョン情報“Ａ１”、“Ｂ１”、“Ｃ１”、“Ｄ１”、“Ｅ１”が格納されているものとする。
管理局端末１の管理局端末用実行部１Ｂは、携帯電話機１０からのアップデート要求に応じて、管理局端末用記憶部１Ａを参照する。管理局端末用実行部１Ｂは、管理局端末用記憶部１Ａを参照して、アップデート要求に含まれるバージョン情報“Ａ１”、“Ｂ１”、“Ｃ１”、“Ｄ１”、“Ｅ１”のうち、アップデートすべきソフトウェアのバージョン情報がないことを認識する。管理局端末１の管理局端末用実行部１Ｂは、アップデートすべきソフトウェアがないことを表す継続情報を携帯電話機１０に送信する。
携帯電話機１０のアップデート制御部３１Ｂは、携帯電話用通信部１４が管理局端末１からの継続情報を受信したとき、アップデート処理を終了する（ステップＳ４−ＮＯ）。
【００６９】
例えば、管理局端末１の管理局端末用記憶部１Ａには、最新のソフトウェアとして、通話用ソフトウェア、電子メール用ソフトウェア、ゲーム用ソフトウェア、迷惑メール防止用ソフトウェア、悪戯電話防止用ソフトウェアとそのバージョン情報“Ａ１”、“Ｂ１”、“Ｃ１”、“Ｄ２”、“Ｅ１”が格納されているものとする。
管理局端末１の管理局端末用実行部１Ｂは、携帯電話機１０からのアップデート要求に応じて、管理局端末用記憶部１Ａを参照する。管理局端末用実行部１Ｂは、管理局端末用記憶部１Ａを参照して、アップデート要求に含まれるバージョン情報“Ａ１”、“Ｂ１”、“Ｃ１”、“Ｄ１”、“Ｅ１”のうち、アップデートすべきソフトウェアのバージョン情報としてバージョン情報“Ｄ２”を決定する。管理局端末用実行部１Ｂは、管理局端末用記憶部１Ａから、上記決定したバージョン情報“Ｄ２”と、そのバージョン情報“Ｄ２”に対応する最新の迷惑メール防止用ソフトウェアとを読み出す。管理局端末用実行部１Ｂは、読み出した最新の迷惑メール防止用ソフトウェアとバージョン情報“Ｄ２”とを含む更新情報を携帯電話機１０に送信する。
携帯電話機１０のアップデート制御部３１Ｂは、携帯電話用通信部１４が管理局端末１からの更新情報（最新の迷惑メール防止用ソフトウェア、バージョン情報“Ｄ２”）を受信したとき（ステップＳ４−ＹＥＳ）、アップデート制御部３１Ｂは、更新情報に含まれる最新の迷惑メール防止用ソフトウェアとバージョン情報“Ｄ２”とを設定用メモリ３３のソフトウェア格納部３３Ａに格納し、アップデート処理を終了する（ステップＳ５）。即ち、ステップＳ５にて、アップデート制御部３１Ｂは、設定用メモリ３３のソフトウェア格納部３３Ａに格納された迷惑メール防止用ソフトウェア（バージョン情報“Ｄ１”）に対して、更新情報に含まれる最新の迷惑メール防止用ソフトウェア（バージョン情報“Ｄ２”）をアップデートする。その結果、ＣＰＵ１１（ＲＯＭ３１に格納されたソフトウェア実行部３１Ａ）は、設定用メモリ３３のソフトウェア格納部３３Ａに格納された最新の迷惑メール防止用ソフトウェアを、必要に応じて実行することにより、携帯電話機１０の正常動作が保証される。
【００７０】
本発明の携帯電話機１０におけるアップデート処理の効果について説明する。
【００７１】
本発明の携帯電話機１０によれば、第１の効果として、簡単な操作で最新のソフトウェアをアップデートすることができる。
【００７２】
この第１の効果について説明する。
ソフトウェア格納部３３Ａに格納されたソフトウェアに不具合（バグ、障害）が生じる可能性がある。そこで、ソフトウェアのメンテナンスを行なうために、バージョンアップした修正用ソフトウェア（最新のソフトウェア）を携帯電話機１０のソフトウェア格納部３３Ａにアップデートする必要がある。そこで、本発明の携帯電話機１０によれば、充電器６がバッテリ９に接続されたときに、管理局端末１からソフトウェア格納部３３Ａに最新のソフトウェアを自動的にアップデートする。このため、ユーザは、簡単な操作で最新のソフトウェアをアップデートすることができる。ユーザの簡単な操作として、ユーザは充電器６をバッテリ９に接続すればよい。
本発明の携帯電話機１０によれば、ユーザは、簡単な操作で最新のソフトウェアをアップデートすることができるため、店舗に出向いて携帯電話機１０を新しい携帯電話機に交換してもらう必要がない。これにより、ユーザが店舗に出向いたり、新しい携帯電話機に交換するようなソフトウェアの不具合の対応にかかるコストが低減される。
携帯電話機１０は、ＣＰＵ１１を内蔵するコンピュータである。ところが、携帯電話機１０を所有する全てのユーザが、携帯電話機１０を電話機として利用しても、携帯電話機１０をコンピュータとして利用できるとは限らない。携帯電話機１０を所有する全てのユーザのうち、コンピュータとしての携帯電話機１０の操作に不慣れなユーザも存在するはずである。そこで、本発明の携帯電話機１０によれば、ユーザは、簡単な操作で最新のソフトウェアをアップデートすることができるため、ユーザ自らがソフトウェアの不具合（バグ、障害）を発見する必要がない。
【００７３】
本発明の携帯電話機１０によれば、第２の効果として、確実に最新のソフトウェアをアップデートすることができる。
【００７４】
この第２の効果について説明する。
本発明の携帯電話機１０によれば、充電器６がバッテリ９に接続されたときに、管理局端末１からソフトウェア格納部３３Ａに最新のソフトウェアを自動的にアップデートする。通常、充電器６は、外部電源７とバッテリ９とに接続されたときに、バッテリ９を充電する。充電器６とバッテリ９とが接続されていても、充電器６と外部電源７とが接続されていない場合がある。充電器６と外部電源７とが接続されていない場合としては、外部電源７に充電器６が正確に接続されていない場合、停電により外部電源７からの電力が充電器６に供給されない場合が例示される。この場合、充電器６は、バッテリ９に接続されていても、外部電源７に接続されていない場合、バッテリ９を充電することはできない。本発明の携帯電話機１０によれば、充電器６がバッテリ９に接続されたときに、充電器６がバッテリ９を充電していなくても、確実に最新のソフトウェアをアップデートすることができる。
【００７５】
次に、バックアップ処理（外部端末バックアップ処理、メモリカードバックアップ処理、選択バックアップ処理）について説明する。図１０は、本発明の携帯電話機１０の動作としてバックアップ処理に含まれる外部端末バックアップ処理を示すフローチャートである。図１１は、本発明の携帯電話機１０の動作としてバックアップ処理に含まれるメモリカードバックアップ処理を示すフローチャートである。図１２は、本発明の携帯電話機１０の動作としてバックアップ処理に含まれる選択バックアップ処理を示すフローチャートである。
【００７６】
上記のアップデート処理を終了した後でも充電器接続部２３に充電器６が接続されている場合、充電器接続検出部２２は、充電器接続部２３に充電器６が接続されている間、充電器接続検出信号をＣＰＵ１１に出力する（図１０〜図１２のステップＳ１１−ＹＥＳ）。ステップＳ１１−ＹＥＳにて、ＣＰＵ１１は、上記のアップデート処理を終了した後でも充電器接続検出部２２から充電器接続検出信号を入力した場合、ＲＯＭ３１に格納されたバックアップ制御部３１Ｃを起動する。このとき、バックアップ制御部３１Ｃは、ＲＯＭ３１のバックアップ場所設定部３１Ｅに設定されたフラグを参照して、（１）外部端末バックアップ処理、（２）メモリカードバックアップ処理、（３）選択バックアップ処理のいずれか１つの処理を決定する。
【００７７】
（１）バックアップ場所設定部３１Ｅに外部端末フラグのみが設定されている場合、バックアップ制御部３１Ｃは、図１０に示される外部端末バックアップ処理を実行する。
【００７８】
バックアップ制御部３１Ｃは、携帯電話用通信部１４が相手側端末と通信を行なっているか否かを検出する（ステップＳ１２）。携帯電話用通信部１４が相手側端末と通信を行なっている場合（ステップＳ１２−ＹＥＳ）、バックアップ制御部３１Ｃは、携帯電話用通信部１４と相手側端末との通信が終わるまでステップＳ１２を実行する。ステップＳ１２において、バックアップ制御部３１Ｃは、ユーザが操作部１６を操作しているか否かを検出する。ユーザが操作部１６を操作している場合（ステップＳ１２−ＹＥＳ）、バックアップ制御部３１Ｃは、ユーザによる操作部１６の操作が終わるまでステップＳ１２を実行する。
【００７９】
ユーザが操作部１６を操作せず、携帯電話用通信部１４が相手側端末と通信を行なっていない場合（ステップＳ１２−ＮＯ）、バックアップ制御部３１Ｃは、設定用メモリ３３のユーザデータ格納部３３Ｂから、外部端末４のアドレスを読み出し、外部端末４との通信が確立されるように、Ｗ−ＬＡＮバックアップ用通信部１５−１を制御する（ステップＳ１３）。
【００８０】
バックアップ制御部３１Ｃは、外部端末４との通信が確立された場合、設定用メモリ３３のユーザデータ格納部３３Ｂから、ユーザデータ項目と、ユーザデータ項目に対応するユーザデータとを読み出す。バックアップ制御部３１Ｃは、読み出されたユーザデータ項目とユーザデータとを含む保存要求が外部端末４に送信されるように、Ｗ−ＬＡＮバックアップ用通信部１５−１を制御する（ステップＳ１４）。この保存要求は、携帯電話機１０のアドレスを更に含む。
ステップＳ１４にて、外部端末４の外部端末用実行部４Ｂは、携帯電話機１０からの保存要求を受信し、その保存要求に含まれる携帯電話機１０のアドレスとユーザデータ項目とユーザデータとを対応付けて外部端末用記憶部４Ａに格納する。
バックアップ制御部３１Ｃは、ステップＳ１４実行後、外部端末バックアップ処理を終了する。
【００８１】
（２）バックアップ場所設定部３１Ｅにメモリカードフラグのみが設定されている場合、バックアップ制御部３１Ｃは、図１１に示されるメモリカードバックアップ処理を実行する。
【００８２】
バックアップ制御部３１Ｃは、上述のステップＳ１２を実行する。
【００８３】
ユーザが操作部１６を操作せず、携帯電話用通信部１４が相手側端末と通信を行なっていない場合（ステップＳ１２−ＮＯ）、バックアップ制御部３１Ｃは、メモリカードバックアップ用通信部１５−２のメモリカードスロット５４にメモリカード５が装着（挿入）されているかを検出する（ステップＳ２１）。
【００８４】
メモリカードスロット５４にメモリカード５が挿入されていない場合、バックアップ制御部３１Ｃは、メモリカードバックアップ処理を終了する（ステップＳ２１−ＮＯ）。
【００８５】
メモリカードスロット５４にメモリカード５が挿入されている場合（ステップＳ２１−ＹＥＳ）、バックアップ制御部３１Ｃは、設定用メモリ３３のユーザデータ格納部３３Ｂから、ユーザデータ項目と、ユーザデータ項目に対応するユーザデータとを読み出す。バックアップ制御部３１Ｃは、読み出されたユーザデータ項目とユーザデータとを、メモリカードバックアップ用通信部１５−２を介して、メモリカード５に出力（送信）する。このとき、バックアップ制御部３１Ｃは、メモリカードバックアップ用通信部１５−２からメモリカード５に出力したユーザデータ項目とユーザデータとを対応付けて、メモリカード５のメモリカード用記憶部５Ｂに格納する（ステップＳ２２）。
バックアップ制御部３１Ｃは、ステップＳ２２実行後、メモリカードバックアップ処理を終了する。
【００８６】
（３）バックアップ場所設定部３１Ｅに外部端末フラグとメモリカードフラグとが設定されている場合、バックアップ制御部３１Ｃは、図１２に示される選択バックアップ処理を実行する。
【００８７】
バックアップ制御部３１Ｃは、上述のステップＳ１２を実行する。
【００８８】
ユーザが操作部１６を操作せず、携帯電話用通信部１４が相手側端末と通信を行なっていない場合（ステップＳ１２−ＮＯ）、バックアップ制御部３１Ｃは、上述のステップＳ２１を実行する。
【００８９】
メモリカードスロット５４にメモリカード５が挿入されていない場合（ステップＳ２１−ＮＯ）、バックアップ制御部３１Ｃは、上述のステップＳ１３、Ｓ１４を実行して、外部端末バックアップ処理を終了する。
【００９０】
メモリカードスロット５４にメモリカード５が挿入されている場合（ステップＳ２１−ＹＥＳ）、バックアップ制御部３１Ｃは、上述のステップＳ２２を実行して、メモリカードバックアップ処理を終了する。
【００９１】
本発明の携帯電話機１０におけるバックアップ処理（外部端末バックアップ処理、メモリカードバックアップ処理、選択バックアップ処理）の効果について説明する。
【００９２】
本発明の携帯電話機１０によれば、第３の効果として、簡単な操作でユーザデータをバックアップすることができる。
【００９３】
この第３の効果について説明する。
携帯電話機１０自体に不具合が発生した場合を想定して、ユーザデータ格納部３３Ｂに格納されたユーザデータをバックアップする必要がある。そこで、本発明の携帯電話機１０によれば、充電器６がバッテリ９に接続されたときに、ユーザデータ格納部３３Ｂからユーザデータを読み出して、記憶装置（外部端末４、メモリカード５）に自動的にバックアップする。このため、ユーザは、簡単な操作でユーザデータをバックアップすることができる。ユーザの簡単な操作として、ユーザは充電器６をバッテリ９に接続すればよい。携帯電話機１０を所有する全てのユーザのうち、コンピュータとしての携帯電話機１０の操作に不慣れなユーザも存在するはずである。このようなユーザでも、充電器６をバッテリ９に接続することにより、簡単な操作でユーザデータをバックアップすることができる。
【００９４】
本発明の携帯電話機１０によれば、第４の効果として、確実にユーザデータをバックアップすることができる。
【００９５】
この第４の効果について説明する。
特許文献１では、携帯電話機は、そのバッテリを充電器が充電したときに、ユーザデータをバックアップ処理装置にバックアップしている。ところが、外部電源に充電器が正確に接続されていない場合、停電により外部電源からの電力が充電器に供給されない場合、充電器は、そのバッテリに接続されていても、外部電源に接続されていなければ、そのバッテリを充電することはできない。そのバッテリを充電できない場合、携帯電話機は、確実にユーザデータをバックアップすることができない。
一方、本発明の携帯電話機１０によれば、充電器６がバッテリ９に接続されたときに、充電器６がバッテリ９を充電していなくても、ユーザデータ格納部３３Ｂからユーザデータを読み出して、記憶装置（外部端末４、メモリカード５）に自動的にバックアップする。このように、本発明の携帯電話機１０によれば、充電器６がバッテリ９に接続された場合、確実にユーザデータをバックアップすることができる。
【００９６】
本発明の携帯電話機１０によれば、第５の効果として、バックアップされたユーザデータをコンピュータに不慣れなユーザでも利用することができる。
【００９７】
この第５の効果について説明する。
特許文献２〜４では、汎用の充電器を用いるのではなく、汎用ではない非汎用の専用充電器を用いて、ユーザデータをバックアップしている。この専用充電器は、メモリを内蔵し、携帯電話機のバッテリに接続されたときに、専用充電器のメモリにユーザデータをバックアップするものである。携帯電話機を所有する全てのユーザのうち、コンピュータに不慣れなユーザも存在するはずである。コンピュータに不慣れなユーザは、非汎用の専用充電器を用いて、専用充電器のメモリに格納されたユーザデータを利用できるとは限らない。
一方、本発明の携帯電話機１０によれば、汎用の充電器６、汎用の記憶装置４、５を用いて、ユーザデータをバックアップしている。この携帯電話機１０では、汎用の充電器６がバッテリ９に接続されたときに、ユーザデータ格納部３３Ｂからユーザデータを読み出して、汎用の記憶装置（外部端末４、メモリカード５）に自動的にバックアップする。このため、コンピュータに不慣れなユーザは、汎用の記憶装置（外部端末４、メモリカード５）を用いて、記憶装置（外部端末４、メモリカード５）に格納されたユーザデータを利用できる。
【００９８】
なお、本実施例では、携帯電話機１０は、アップデート処理を実行した後にバックアップ処理を実行したが、バックアップ処理を実行した後にアップデート処理を実行してもよい。
この場合、バックアップ処理において、バッテリ電源制御部１２の充電器接続検出部２２は、ユーザにより充電器接続部２３に充電器６が接続されたか否かを検出する（ステップＳ１１）。充電器接続部２３に充電器６が接続された場合、充電器接続検出部２２は、充電器接続部２３に充電器６が接続されている間、充電器接続検出信号をＣＰＵ１１に出力する（ステップＳ１１−ＹＥＳ）。ステップＳ１１−ＹＥＳにて、ＣＰＵ１１は、充電器接続検出部２２から充電器接続検出信号を入力した場合、ＲＯＭ３１に格納されたバックアップ制御部３１Ｃを起動し、バックアップ制御部３１Ｃによりバックアップ処理を実行する。
上記のバックアップ処理を終了した後でも充電器接続部２３に充電器６が接続されている場合、充電器接続検出部２２は、充電器接続部２３に充電器６が接続されている間、充電器接続検出信号をＣＰＵ１１に出力する（ステップＳ１−ＹＥＳ）。ステップＳ１−ＹＥＳにて、ＣＰＵ１１は、上記のバックアップ処理を終了した後でも充電器接続検出部２２から充電器接続検出信号を入力した場合、ＲＯＭ３１に格納されたアップデート制御部３１Ｂを起動し、アップデート制御部３１Ｂによりアップデート処理を実行する。
【００９９】
また、無線ネットワーク３としてＷ−ＬＡＮを例示したが、無線ネットワーク３はＢｌｕｅｔｏｏｔｈに適用されてもよい。
この場合、バックアップ用通信部１５は、Ｗ−ＬＡＮバックアップ用通信部１５−１に代えて、図示しないＢｌｕｅｔｏｏｔｈ用通信部を含む。Ｂｌｕｅｔｏｏｔｈ用通信部は、図示しないＢｌｕｅｔｏｏｔｈ制御部、図示しないＢｌｕｅｔｏｏｔｈ送受信部を含む。
Ｂｌｕｅｔｏｏｔｈ制御部は、バス１９に接続されている。Ｂｌｕｅｔｏｏｔｈ送受信部は、Ｂｌｕｅｔｏｏｔｈ制御部に接続されている。Ｂｌｕｅｔｏｏｔｈ送受信部には、無線ネットワーク３を介して外部端末４が接続される。Ｂｌｕｅｔｏｏｔｈ送受信部は、無線ネットワーク３に対してデータの送受信を行なう回路である。Ｂｌｕｅｔｏｏｔｈ制御部は、ＣＰＵ１１からの指示に応じてデータを送信するように、Ｂｌｕｅｔｏｏｔｈ送受信部を制御する。Ｂｌｕｅｔｏｏｔｈ制御部は、データを受信してＣＰＵ１１に出力するように、Ｂｌｕｅｔｏｏｔｈ送受信部を制御する。
無線ネットワーク３がＢｌｕｅｔｏｏｔｈに適用された場合、上述の外部端末バックアップ処理、選択バックアップ処理には、Ｗ−ＬＡＮバックアップ用通信部１５−１に代えてＢｌｕｅｔｏｏｔｈ用通信部が適用される。
【０１００】
以上の説明により、本発明の携帯電話機１０は、簡単な操作で最新のソフトウェアをアップデートすることができる。
【０１０１】
本発明の携帯電話機１０は、確実に最新のソフトウェアをアップデートすることができる。
【０１０２】
本発明の携帯電話機１０は、簡単な操作でユーザデータをバックアップすることができる。
【０１０３】
本発明の携帯電話機１０は、確実にユーザデータをバックアップすることができる。
【０１０４】
本発明の携帯電話機１０は、バックアップされたユーザデータをコンピュータに不慣れなユーザでも利用することができる。
【図面の簡単な説明】
【０１０５】
【図１】図１は、本発明の携帯電話機１０に適用される通信システムの構成を示す。
【図２】図２は、本発明の携帯電話機１０の構成を示す。
【図３】図３は、本発明の携帯電話機１０の携帯電話機本体８における設定用メモリ３３の構成を示す。
【図４】図４は、本発明の携帯電話機１０の携帯電話機本体８における設定用メモリ３３のソフトウェア格納部３３Ａを示す。
【図５】図５は、本発明の携帯電話機１０の携帯電話機本体８における設定用メモリ３３のユーザデータ格納部３３Ｂを示す。
【図６】図６は、本発明の携帯電話機１０の携帯電話機本体８におけるＲＯＭ３１に格納された制御プログラムの構成を示す。
【図７】図７は、本発明の携帯電話機１０の携帯電話機本体８におけるＲＯＭ３１のバックアップ場所設定部３１Ｅを示す。
【図８】図８は、管理局端末１の管理局端末用記憶部１Ａを示す。
【図９】図９は、本発明の携帯電話機１０の動作としてアップデート処理を示すフローチャートである。
【図１０】図１０は、本発明の携帯電話機１０の動作としてバックアップ処理に含まれる外部端末バックアップ処理を示すフローチャートである。
【図１１】図１１は、本発明の携帯電話機１０の動作としてバックアップ処理に含まれるメモリカードバックアップ処理を示すフローチャートである。
【図１２】図１２は、本発明の携帯電話機１０の動作としてバックアップ処理に含まれる選択バックアップ処理を示すフローチャートである。
【符号の説明】
【０１０６】
１      管理局端末
１Ａ    管理局端末用記憶部
１Ｂ    管理局端末用実行部
２      無線通信網
３      無線ネットワーク
４      外部端末
４Ａ    外部端末用記憶部
４Ｂ    外部端末用実行部
５      メモリカード
５Ａ    メモリカード用記憶部
６      充電器
７      外部電源
８      携帯電話機本体
９      バッテリ
１０      携帯電話機
１１      ＣＰＵ
１２      バッテリ電源制御部
１３      携帯電話機用記憶部
１４      携帯電話用通信部
１５      バックアップ用通信部
１５−１  Ｗ−ＬＡＮバックアップ用通信部
１５−２  メモリカードバックアップ用通信部
１６      操作部
１７      表示装置
１８      送受話部
１９      バス
２１      充電制御部
２２      充電器接続検出部
２３      充電器接続部
３１      ＲＯＭ
３１Ａ    ソフトウェア実行部
３１Ｂ    アップデート制御部
３１Ｃ    バックアップ制御部
３１Ｄ    バックアップ場所変更実行部
３１Ｅ    バックアップ場所設定部
３２      作業用メモリ
３３      設定用メモリ
３３Ａ    ソフトウェア格納部
３３Ｂ    ユーザデータ格納部
４１      携帯電話制御部
４２      携帯電話送受信部
５１      Ｗ−ＬＡＮ制御部
５２      Ｗ−ＬＡＮ送受信部
５３      メモリカード制御部
５４      メモリカードスロット
６１      キー入力部
６２      操作キー
７１      表示制御部
７２      表示部
８１      マイク
８２      レシーバ
【図１】
2005222171.tif 000003
【図２】
2005222171.tif 000004
【図３】
2005222171.tif 000005
【図４】
2005222171.tif 000006
【図５】
2005222171.tif 000007
【図６】
2005222171.tif 000008
【図７】
2005222171.tif 000009
【図８】
2005222171.tif 000010
【図９】
2005222171.tif 000011
【図１０】
2005222171.tif 000012
【図１１】
2005222171.tif 000013
【図１２】
2005222171.tif 000014